【事件の表示】
　平成　９年特許願第１０５１２７号「乗用型移植機における動力伝動装置」拒絶査定に対する審判事件［平成１０年　２月１０日出願公開、特開平１０−　３３０２８］について、次のとおり審決する。
【結　論】
　本件審判の請求は、成り立たない。
【理　由】
１．手続の経緯・本願発明　　　　　　　　　　　　　　　　　　　　　
　本願は、平成３年４月２４日に出願した特願平３−１２２３１２号の一部を分割して、平成９年４月７日に新たな特許出願としたものであって、その請求項１に係る発明は、平成１２年１２月２８日付けの手続補正書によって補正された明細書及び図面の記載からみて、その特許請求の範囲の請求項１に記載された次のとおりのものである（以下、「本願発明」という）。　
「乗用型移植機の走行機体に植付作業部（１）を昇降自在に連結し、該植付作業部（１）には、外周に螺旋状の送り溝（１４ａ）が形成される横送り軸（１４）に、軸芯回りの回動が規制されるスライドピース（２０）を外嵌状に螺合し、横送り軸（１４）の回動に伴うスライドピース（２０）の左右往復移動に基づいて横送りされる苗載台（３）と、苗載台（３）に載置される植付苗を下方に向けて縦送りする縦送り機構（２３）と、苗載台（３）の下端から単位植付苗を掻取って田面に植付ける植付アーム（４）を備えた乗用型移植機において、前記苗載台（３）の背面側に左右方向に沿って横送り軸（１４）を露出状態で配設すると共に、この横送り軸（１４）の左右方向の一端側を横送り変換ケース（１５）に軸支して、走行機体側から動力伝達される植付部動力を、横送り変換ケース（１５）に内装する横送り量の変換可能な伝達機構を介して横送り軸（１４）に伝達し、また、前記苗載台（３）の縦送り機構（２３）を作動させる縦送りレバー（２７）を、螺旋状の送り溝（１４ａ）及びスライドピース（２０）を挟んだ横送り軸（１４）の他端側に一体回動自在に組み付けて、苗載台（３）が移動端部に至る度毎に、植付苗を下方に向けて縦送りするように構成したことを特徴とする乗用型移植機における動力伝動装置。」
　　　　　　　　　　　　　　　　　　　　　　　　　　　　　　　　　
２．当審の拒絶理由
　一方、当審において平成１４年１１月７日付けで通知した拒絶の理由の概要は、本願発明は、本願の出願前に頒布された下記の刊行物１及び刊行物２に記載された発明に基いて当業者が容易に発明をすることができたものであるから、特許法第２９条第２項の規定により特許を受けることができない、というものである。　　　　　　　　　　　　　　　　　　　　　　　　
　　　　　　　　　　　　　　　　 記
刊行物１：特開平３−３５７０９号公報
刊行物２：実願昭５９−１５８９６４号（実開昭６１−７２１２５号）の願　　　　　書に添付した明細書及び図面の内容を撮影したマイクロフィルム
　　　　　　　　　　　　　　　　　　　　　　　　　　　　　　　　　
３．引用刊行物に記載の発明
　本願の出願前に頒布された刊行物である刊行物１及び刊行物２には、以下の発明が記載されている。
刊行物１（特開平３−３５７０９号公報）には、以下（1-aないし1-e）の記載がある。　　　　　
1-a「本発明は、苗植爪付き爪軸を備えた伝動ケースを、複数個を並設して成るいわゆる多条植式の田植機の改良に関するものである。」（第１頁左下欄第１７−１９行）
1-b「各苗植ユニット２５における各伝動ケース２６の相互間を・・・筒状部材５５，５６にて連結すると共に、この筒状部材５５，５６内に挿入した動力伝達軸５７，５８の両端を・・・各駆動軸３５・・・に着脱自在に接合して各駆動軸３５，３５，３５を一列状に連接し、各伝動ケース２６のうち中央に位置する伝動ケース２６の後端には、駆動軸３５に傘歯車対５９を介して伝動する入力軸６０を軸支する。」（第３頁右上欄第１４行−左下欄第５行）
1-c「横送り装置６１は、前記苗載台３４を横方向に往復動するための横送り機構を内蔵した横送りケース６２を備え、該横送りケース６２には、幅狭の中空状突出部６２aを一体的に造形して、・・・この中空状突出部６２a内に、伝動ケース２６における駆動軸３５から前記横送りケース６２内における変速機構６４への動力伝達用のチエン６３を設ける。また、前記横送りケース６２内には、前記変速機構６４から動力伝達される円筒カム軸６５と、摺動自在な送り軸６６とを平行に備えている。該送り軸６６は、その舟型キー６７が前記カム軸６５の往復螺旋溝６８に係合し、カム軸６５の回転にて左右方向に横送りされると共に、その横送りの右端及び左端においてカム軸６５上の両固定カム６９に接当して間欠的に揺動回転するように構成されている。」（第３頁左下欄第７行−右下欄第６行）
1-d「苗載台３４の裏面には・・・苗マット縦送り軸８１が軸受け８２を介して取り付けられ、該縦送り軸８１上に設けた一方向クラッチ８３と前記送り軸６６端に取付くレバー８４とを連杆８５を介して連結し、送り軸６６によって一方向クラッチ８３を揺動回動することにより、縦送り軸８１を一ピッチづつ間欠送り回転するように構成されている。」（第４頁左上欄第５−１５行）
1-e「苗植装置２４は・・・左右一対のロワーリンク８７、及び・・・トップリンク８９にて、前記前部機体２に対して上下動自在に装着されており」（第４頁左上欄第１６行−右上欄第２行）
上記記載より、刊行物１には以下の発明（以下、「引用発明」という）が記載されていると認められる。
「左右一対のロワーリンク８７及びトップリンク８９にて苗植装置２４を前部機体２に対して上下動自在に装着し、苗載台３４の裏面には苗マット縦送り軸８１が軸受け８２を介して取り付けられ、該縦送り軸８１上に設けた一方向クラッチ８３と前記送り軸６６端に取付くレバー８４とを連杆８５を介して連結し、送り軸６６によって一方向クラッチ８３を揺動回動することにより、縦送り軸８１を一ピッチづつ間欠送り回転するように構成されており、各苗植ユニット２５における各伝動ケース２６の相互間を筒状部材５５，５６にて連結し、この筒状部材５５，５６内に挿入した動力伝達軸５７，５８の両端を各駆動軸３５に着脱自在に接合して各駆動軸３５，３５，３５を一列状に連接し、各伝動ケース２６のうち中央に位置する伝動ケース２６の後端には、駆動軸３５に傘歯車対５９を介して伝動する入力軸６０を軸支し、横送り装置６１は、前記苗載台３４を横方向に往復動するための横送り機構を内蔵した横送りケース６２を備え、該横送りケース６２には、幅狭の中空状突出部６２aを一体的に造形して、この中空状突出部６２a内に、上記伝動ケース２６における駆動軸３５から前記横送りケース６２内における変速機構６４への動力伝達用のチエン６３を設け、前記横送りケース６２内には、前記変速機構６４から動力伝達される円筒カム軸６５と、摺動自在な送り軸６６とを平行に備えており、該送り軸６６は、その舟型キー６７が前記カム軸６５の往復螺旋溝６８に係合し、カム軸６５の回転にて左右方向に横送りされると共に、その横送りの右端及び左端においてカム軸６５上の両固定カム６９に接当して間欠的に揺動回転するように構成されている、苗植爪付き爪軸を備えた伝動ケースを並設して成る多条植式の田植機。」
刊行物２（実願昭５９−１５８９６４号（実開昭６１−７２１２５号）の願書に添付した明細書及び図面の内容を撮影したマイクロフィルム）には、以下（2-a）の記載がある。
2-a「横送駆動軸に取付けた縦送アームは横送駆動軸と共に常時回転していて苗載台が横移動端部に達すると、苗載台に付設した縦送機構から垂下しているアームに当接してそれを一定角度回動させ、それにより苗を縦送りする。」（第３頁第１５−１９行）
　　　　　　　　　　　　　　　　　　　　　　　　　　　　　　　　　
４．対比
　本願発明と引用発明とを対比すると、引用発明における「田植機」は本願発明における、「乗用型移植植機」に対応し、同様に「機体」は「走行機体」に、「苗植装置」は「植付作業部」に、「上下動自在に装着」は「昇降自在に連結」に、「往復螺旋溝」は「螺旋状の送り溝」に、「円筒カム軸」は「横送り軸」に、「舟型キーがカム軸の往復螺旋溝に係合」は「軸芯回りの回動が規制されるスライドピースを外嵌状に螺合」に、「カム軸の回転にて左右方向に横送りされる」は「横送り軸の回動に伴うスライドピースの左右往復移動」に、「苗載台を横方向に往復動する」は「横送りされる苗載台」に、「苗植爪」は「植付アーム」に、「中空状突出部」は「横送り変換ケース」に、「駆動軸に伝動する入力軸」は「走行機体側から動力伝達される植付部動力」に、「変速機構」は「横送り量の変換可能な伝達機構」に、「横送りの右端及び左端において」は「苗載台が移動端部に至る度毎に」に、「縦送り軸を一ピッチづつ間欠送り回転する」は「植付苗を下方に向けて縦送りする」に、それぞれ対応している。
ここで引用発明の記載事項1-dによれば、引用発明は植付苗を下方に向けて縦送りする縦送り機構を備えていることが明らかである。また、本願発明における「縦送りレバー２７」も引用発明における「固定カム６９」も、縦送り機構を作動させる作動部であるといえる。
そうすると、両者は以下の点で一致し、また、相違している。
一致点：
乗用型移植機の走行機体に植付作業部を昇降自在に連結し、該植付作業部には、外周に螺旋状の送り溝が形成される横送り軸に、軸芯回りの回動が規制されるスライドピースを外嵌状に螺合し、横送り軸の回動に伴うスライドピースの左右往復移動に基づいて横送りされる苗載台と、苗載台に載置される植付苗を下方に向けて縦送りする縦送り機構と、苗載台の下端から単位植付苗を掻取って田面に植付ける植付アームを備えた乗用型移植機において、前記苗載台の背面側に左右方向に沿って横送り軸を配設すると共に、この横送り軸の左右方向の一端側を横送り変換ケースに軸支して、走行機体側から動力伝達される植付部動力を、横送り変換ケースに内装する横送り量の変換可能な伝達機構を介して横送り軸に伝達し、また、前記苗載台の縦送り機構を作動させる作動部を横送り軸に一体回動自在に組み付けて、苗載台が移動端部に至る度毎に、植付苗を下方に向けて縦送りするように構成した乗用型移植機における動力伝動装置、の点。
相違点：
a．横送り軸を、本願発明では露出状態で配設するのに対して、引用発明では「横送りケース」に内蔵した点。
b．縦送り機構を作動させる作動部が、本願発明では縦送りレバーであるのに対して、引用発明では固定カムである点。
c．縦送り機構を作動させる作動部を、本願発明では（一端側を横送り変換ケースに軸支した）横送り軸の、螺旋状の送り溝及びスライドピースを挟んだ他端側に組み付けたのに対して、引用発明では（一端側を中空状突出部に軸支した）円筒カム軸の、横送りの右端及び左端に設けた点。
　　　　　　　　　　　　　　　　　　　　　　　　　　　　　　　　　
５．当審の判断
　上記の相違点に関して検討する。
a．点に関しては、乗用田植機において、苗載台の横送り軸を露出状態で配設することはきわめて周知（例えば周知例１があげられる。）であり、引用発明における横送り軸を露出状態で配設したことは単なる設計事項にすぎない。
周知例１：実願昭６０−３９５９９号（実開昭６１−１５４７２６号）の願　　　　　書に添付した明細書及び図面の内容を撮影したマイクロフィルム
　　　　　（第６頁第１４−１５行及び図面第４図）
b．点に関しては、縦送り機構を作動させる作動部をレバーとすることは例えば刊行物２に記載されており、また周知（例えば周知例２があげられる。）の技術であるから、引用発明における円筒カム軸（横送り軸）上の「固定カム」をレバーとしたことは単なる設計の変更にすぎない。
周知例２：実願昭５８−１１８１６５号（実開昭６０−２７６１８号）の願　　　　　書に添付した明細書及び図面の内容を撮影したマイクロフィルム
　　　　　（第３頁第７行−第４頁末行及び図面第２図）
またc．点に関しては、苗載台の縦送り機構を作動させる作動部を苗載台の横送り軸の一端側に設けることは周知（例えば上記周知例２及び下記の周知例３があげられる。）であり、引用発明１において、一端側を中空状突出部に軸支した円筒カム軸の横送りの他端に作動部を設けた点に格別な技術的困難性は認められない。
周知例３：特開昭６１−２１０１２号公報（第２頁右上欄末行−左下欄第１　　　　　１行及び図面第２図）
　そして、本願発明が奏する作用効果も、引用発明並びに刊行物２の記載事項及び周知技術から容易に予測できる範囲内のものであって格別なものとはいえない。
　したがって、本願発明は引用発明並びに刊行物２の記載事項及び周知技術に基づいて当業者が容易に発明をすることができたものであるから、特許法第２９条第２項の規定により特許を受けることができない。
　　　　　　　　　　　　　　　　　　　　　　　　　　　　　　　　　
６．むすび
　以上のとおりであるから、本願は、当審で通知した上記拒絶の理由によって拒絶すべきものである。
　よって、結論のとおり審決する。